(57)【要約】      （修正有）【課題】押し操作の際、ロッキングレバーの塑性変形による白化現象が減ることができる新しい形態のロッキングレバーを有する電気コネクタのハウジングを提供する。【解決手段】相手電気コネクタ１００のウエハ１１０にロッキング及びロッキング解除可能なように構成されるロッキングレバー２１２を備える電気コネクタ２００のハウジングであって、ロッキングレバーは、電気コネクタの本体の一面上から該本体の前方に向けて傾斜した形態で突出される傾斜支持部２１２ａと、傾斜支持部から本体の前方に向けて延び、ウエハに係止可能なように構成されるフック２１２ｂ’を備えるロッキング部２１２ｂと、傾斜支持部から本体の後方に向けて延び、ロッキング解除のために押し操作可能なように構成される操作部２１２ｃとを備え、ロッキングレバーは、合成樹脂材質の本体に一体に形成される。【選択図】図４
0003226639.tif 000002
【実用新案登録請求の範囲】
【請求項１】
相手電気コネクタのウエハにロッキング及びロッキング解除可能なように構成されるロッキングレバーを備える電気コネクタのハウジングにおいて、
前記ロッキングレバーは、
電気コネクタの本体の一面上から該本体の前方に向けて傾斜した形態で突出される傾斜支持部と、
前記傾斜支持部から前記本体の前方に向けて延び、前記ウエハに係止可能なように構成されるフックを備えるロッキング部と、
前記傾斜支持部から前記本体の後方に向けて延び、前記ロッキング解除のために押し操作可能なように構成される操作部と、を備え、
前記ロッキングレバーは、合成樹脂材質の前記本体に一体に形成されることを特徴とする電気コネクタのハウジング。
【請求項２】
前記傾斜支持部の傾斜した方向は、前記操作部の押し操作の際、前記ロッキングレバーの変形によって前記ロッキング部が傾斜するように配置される方向に対応することを特徴とする請求項１に記載の電気コネクタのハウジング。
【請求項３】
前記傾斜支持部と前記ロッキング部とは鈍角をなし、
前記傾斜支持部と前記操作部とは鋭角をなすことを特徴とする請求項１または２に記載の電気コネクタのハウジング。
【請求項４】
前記ロッキング部と前記操作部とは、前記本体の一面に対して平行に配置されることを特徴とする請求項１〜３のいずれか１項に記載の電気コネクタのハウジング。
【請求項５】
前記傾斜支持部の両端は、前記本体の厚さ方向を基準として前後に互いに傾斜するように位置することを特徴とする請求項１〜４のいずれか１項に記載の電気コネクタのハウジング。
【請求項６】
前記傾斜支持部は、前記本体の一面から突出されることを特徴とする請求項１〜５のいずれか１項に記載の電気コネクタのハウジング。
【請求項７】
前記操作部と対向する前記本体の一面には、前記操作部の押し操作される程度を制限するためのストッパが突出されることを特徴とする請求項６に記載の電気コネクタのハウジング。
【請求項８】
前記ロッキングレバーは、前記本体の一面から突出されるベース部をさらに備え、
前記傾斜支持部は、前記ベース部から突出されることを特徴とする請求項１〜５のいずれか１項に記載の電気コネクタのハウジング。
【請求項９】
前記ベース部の厚さは、一定であることを特徴とする請求項８に記載の電気コネクタのハウジング。
【請求項１０】
前記ロッキング部の最大持ち上がり角度は、前記操作部の押し操作の際、前記操作部と前記ベース部との接触により制限されることを特徴とする請求項８または９に記載の電気コネクタのハウジング。
【請求項１１】
相手電気コネクタのウエハにロッキング及びロッキング解除可能なように構成されるロッキングレバーを備える電気コネクタのハウジングにおいて、
前記ロッキングレバーは、
電気コネクタの本体の両側面からそれぞれ突出されるベース部と、
前記ベース部から前記本体の前方に向けて傾斜した形態で突出される傾斜支持部と、
前記傾斜支持部から前記本体の前方に向けて延び、前記ウエハに係止可能なように構成されるフックを備えるロッキング部と、
前記傾斜支持部から前記本体の後方に向けて延び、前記ロッキング解除のために押し操作可能なように構成される操作部と、を備え、
前記ロッキングレバーは、合成樹脂材質の前記本体に一体に形成され、
前記ロッキング部の最大持ち上がり角度は、前記操作部の押し操作の際、前記操作部と前記ベース部との接触により制限されることを特徴とする電気コネクタのハウジング。
【請求項１２】
前記傾斜支持部と前記ロッキング部とは鈍角をなし、
前記傾斜支持部と前記操作部とは鋭角をなすことを特徴とする請求項１１に記載の電気コネクタのハウジング。
【考案の詳細な説明】
【技術分野】
【０００１】
本考案は、電源と機器、機器と機器、または機器内部単位（unit）等間を連結して電気回路を構成する電気コネクタのハウジングに関する。
【背景技術】
【０００２】
電気コネクタは、相手電気コネクタと機構的に結合されて、電気コネクタの電気回路と相手電気コネクタの電気回路との相互間を電気的に連結するように構成される。電気コネクタと相手電気コネクタとは、互いに結合可能なように雌コネクタと雄コネクタとで構成される。
【０００３】
電気コネクタと相手電気コネクタとの電気的連結は、それぞれの電気コネクタに備えられるターミナルないしピンの相互接続によりなされる。前記電気的連結が安定的に維持され得るように、それぞれのターミナルないしピンが装着される電気コネクタの本体（ハウジングとウエハ）は、機構的に結合されて任意的に分離されないように構成される。ところが、維持補修などのために、必要に応じては、電気コネクタと相手電気コネクタとの電気的連結を切るべき場合がある。この場合には、電気コネクタの本体の機構的な分離が先行されなければならない。
【０００４】
前記機構的結合と分離のために、電気コネクタの本体に押し操作可能なロッキングレバーが形成された構造が利用されることもある。前記ロッキングレバーは、相手電気コネクタの本体に係止可能なように構成され、押し操作によって前記係止が解除可能なように構成される。
【０００５】
前記係止の解除は、ロッキングレバーの一側を押し操作したとき、フックが形成されたロッキングレバーの他側が持ち上げられることによってなされる。押し操作のために、ロッキングレバーの一側に加えられる力が大きい場合、ロッキングレバーの回転軸の役割をする支持部が塑性変形（plastic  deformation）される虞がある。支持部が塑性変形されれば、ロッキングレバーの弾性復元がなされず、電気コネクタと相手電気コネクタとの機構的結合が再度安定的になされることができず、支持部が白く変わる白化現象（stress  whitening）が起こる。
【先行技術文献】
【特許文献】
【０００６】
【特許文献１】大韓民国登録特許公報１０−１６６７３０１（２０１６．１０．１８．公告）
【考案の概要】
【考案が解決しようとする課題】
【０００７】
本考案の目的は、押し操作の際、ロッキングレバーの塑性変形による白化現象が減ることができる新しい形態のロッキングレバーを有する電気コネクタのハウジングを提供することにある。
【課題を解決するための手段】
【０００８】
本考案の目的を達成するために、本考案の電気コネクタのハウジングは、相手電気コネクタのウエハにロッキング及びロッキング解除可能なように構成されるロッキングレバーを備える電気コネクタのハウジングにおいて、前記ロッキングレバーは、電気コネクタの本体の一面上から該本体の前方に向けて傾斜した形態で突出される傾斜支持部と、前記傾斜支持部から前記本体の前方に向けて延び、前記ウエハに係止可能なように構成されるフックを備えるロッキング部と、前記傾斜支持部から前記本体の後方に向けて延び、前記ロッキング解除のために押し操作可能なように構成される操作部とを備え、前記ロッキングレバーは、合成樹脂材質の前記本体に一体に形成される。
【０００９】
前記傾斜支持部の傾斜した方向は、前記操作部の押し操作の際、前記ロッキングレバーの変形によって前記ロッキング部が傾斜するように配置される方向に対応する。
【００１０】
前記傾斜支持部と前記ロッキング部とは鈍角をなし、前記傾斜支持部と前記操作部とは鋭角をなす。
【００１１】
前記ロッキング部と前記操作部とは、前記本体の一面に対して平行に配置されることができる。
【００１２】
前記傾斜支持部の両端は、前記本体の厚さ方向を基準として前後に互いに傾斜するように位置する。
【００１３】
本考案の一実施形態として、前記ロッキングレバーは、前記本体の一面から突出されるベース部をさらに備えることができ、前記傾斜支持部は、前記ベース部から突出されることができる。
【００１４】
前記ベース部の厚さは、一定に形成されることができる。
【００１５】
前記ロッキング部の最大持ち上がり角度は、前記操作部の押し操作の際、前記操作部と前記ベース部との接触によって制限される。
【００１６】
本考案の他の一実施形態として、前記傾斜支持部は、前記本体の一面から突出されることができる。
【００１７】
前記操作部と対向する前記本体の一面には、前記操作部の押し操作される程度を制限するためのストッパが突出され得る。
【００１８】
また、本考案の目的は、相手電気コネクタのウエハにロッキング及びロッキング解除可能なように構成されるロッキングレバーを備える電気コネクタのハウジングにおいて、前記ロッキングレバーは、電気コネクタの本体の両側面からそれぞれ突出されるベース部と、前記ベース部から前記本体の前方に向けて傾斜した形態で突出される傾斜支持部と、前記傾斜支持部から前記本体の前方に向けて延び、前記ウエハに係止可能なように構成されるフックを備えるロッキング部と、前記傾斜支持部から前記本体の後方に向けて延び、前記ロッキング解除のために押し操作可能なように構成される操作部とを備え、前記ロッキングレバーは、合成樹脂材質の前記本体に一体に形成され、前記ロッキング部の最大持ち上がり角度は、前記操作部の押し操作の際、前記操作部と前記ベース部との接触により制限される電気コネクタのハウジングによっても達成されることができる。
【００１９】
前記傾斜支持部と前記ロッキング部とは鈍角をなし、前記傾斜支持部と前記操作部とは鋭角をなす。
【考案の効果】
【００２０】
上述した解決手段によって得るようになる本考案の効果は、次の通りである。
本考案によれば、傾斜支持部が電気コネクタの本体の前方上側に向けて傾斜した形態で突出されて、ロッキング部の長さが同じ条件下で、垂直支持部を有する従来の構造と比べてロッキングレバーの回転中心が操作部側にさらに近接して位置するようになる。
これにより、操作部の押し操作の際、傾斜支持部に加えられる力が減少されるので、ロッキングレバーの塑性変形の可能性が減少され、塑性変形による白化現象を減少することができる。
【図面の簡単な説明】
【００２１】
【図１】本考案の一実施形態に係る電気コネクタが相手電気コネクタと結合された状態を示す斜視図。
【図２】図１に示された電気コネクタが相手電気コネクタと分離された状態を示す斜視図。
【図３】図１に示された電気コネクタの分解斜視図。
【図４】図１のIV−IV線に沿って切断した断面図（ウエハとハウジングだけを分離して図示）。
【図５】図４に示された状態で、ロッキングレバーが操作された場合を示した断面図。
【図６】本考案の傾斜支持部を従来の垂直支持部と比べて説明するための概念図。
【図７】本考案の他の一実施形態に係るハウジングがウエハに結合された状態を示す断面図。
【図８】図７に示された状態で、ロッキングレバーが操作された場合を示した断面図。
【考案を実施するための形態】
【００２２】
以下、本考案に係る電気コネクタのハウジングについて図面を参照してより詳細に説明する。
本明細書では、互いに異なる実施形態でも同一、類似した構成に対しては同一、類似した参照符号を付し、これについての重複する説明を省略する。
また、本明細書に開示された実施形態を説明するにあたって、関連した公知技術についての具体的な説明が本明細書に開示された実施形態の要旨を濁す恐れがあると判断される場合、その詳細な説明を省略する。
【００２３】
また、添付された図面は、本明細書に開示された実施形態を容易に理解できるようにするためのものであり、添付された図面によって本明細書に開示された技術的思想が制限されるものではなく、本考案の思想及び技術範囲に含まれるあらゆる変更、均等物ないし代替物を含むことと理解されなければならない。
【００２４】
以下の説明において、単数の表現は、文脈上明白に異なるように意味するものでない限り、複数の表現を含む。
本出願において、「含む」または「有する」などの用語は、明細書上に記載された特徴、数字、段階、動作、構成要素、部品、またはこれらを組み合わせたものが存在することを指定しようとするものであり、１つまたはそれ以上の他の特徴や数字、段階、動作、構成要素、部品、またはこれらを組み合わせたものなどの存在または付加可能性を予め排除しないことと理解されなければならない。
【００２５】
図１は、本考案の一実施形態に係る電気コネクタ２００が相手電気コネクタ１００と結合された状態を示す斜視図であり、図２は、図１に示された電気コネクタ２００が相手電気コネクタ１００と分離された状態を示す斜視図である。
図１及び図２に示すように、電気コネクタ２００は、相手電気コネクタ１００と機構的に結合されて、電気コネクタ２００の電気回路と相手電気コネクタ１００の電気回路との相互間を電気的に連結するように構成される。
【００２６】
電気コネクタ２００と相手電気コネクタ１００とは、互いに結合可能なように雌コネクタと雄コネクタとで構成される。本図面では、雄コネクタである電気コネクタ２００の一部が雌コネクタである相手電気コネクタ１００の収容部１１１に挿入される構造を例として示している。
【００２７】
電気コネクタ２００と相手電気コネクタ１００との電気的連結は、それぞれの電気コネクタ１００、２００に備えられるピン１２０ないしターミナル２２０の相互接続によりなされる。前記電気的連結が安定的に維持され得るように、それぞれのピン１２０ないしターミナル２２０が装着される電気コネクタ１００、２００の本体（ウエハ１１０とハウジング２１０）は、機構的に結合されて任意的に分離されないように構成される。
【００２８】
ところが、維持補修などのために、必要に応じては、電気コネクタ２００と相手電気コネクタ１００との電気的連結を切るべき場合がある。この場合には、本体間の機構的な分離が先行されなければならない。
前記機構的結合と分離のために、電気コネクタ２００の本体に押し操作可能なロッキングレバー２１２が形成された構造が利用されることもある。前記ロッキングレバー２１２は、相手電気コネクタ１００の本体に係止可能なように構成され、押し操作によって前記係止が解除可能なように構成される。
【００２９】
参考として、ロッキングレバー２１２は、雄コネクタ及び雌コネクタのうち、いずれか１つに備えられることができる。すなわち、以下の説明では、雄コネクタである電気コネクタ２００にロッキングレバー２１２が備えられているものと説明するが、本考案はこれに限定されるものではない。ロッキングレバー２１２が雌コネクタである相手電気コネクタ１００に備えられることもできることは自明である。
【００３０】
係止解除は、ロッキングレバー２１２の一側（後述する操作部２１２ｃ）を押し操作したとき、フック２１２ｂ’が形成されたロッキングレバー２１２の他側（後述するロッキング部２１２ｂ）が持ち上げられることによってなされる。押し操作のために、ロッキングレバー２１２の一側に加えられる力が大きい場合、ロッキングレバー２１２の回転軸の役割をする傾斜支持部２１２ａが塑性変形される恐れがある。傾斜支持部が塑性変形されれば、ロッキングレバー２１２の弾性復元がなされず、電気コネクタ２００と相手電気コネクタ１００との機構的結合が再度安定的になされることができず、該傾斜支持部が白く変わる白化現象が起こる。
【００３１】
以下では、押し操作の際、ロッキングレバー２１２の塑性変形による白化現象が減ることができる新しい形態のロッキングレバー２１２を有する電気コネクタ２００のハウジング２１０について説明する。
【００３２】
図３は、図１に示された電気コネクタ２００の分解斜視図であり、図４は、図１のIV−IV線に沿って切断した断面図（ウエハ１１０とハウジング２１０だけを分離して図示）である。
図３及び図４に示すように、電気コネクタ２００は、ハウジング２１０とターミナル２２０とを備える。
【００３３】
ハウジング２１０は、電気コネクタ２００の本体をなし、合成樹脂材質で形成される。ハウジング２１０は、射出成形、３Ｄプリンティングなどにより形成されることができる。ハウジング２１０は、ターミナル装着部２１１とロッキングレバー２１２とを備える。
【００３４】
ターミナル装着部２１１は、ターミナル２２０が装着される空間を設ける。本図面では、ターミナル装着部２１１がハウジング２１０の内部に前後方向に延長形成されたことを示している。
【００３５】
ターミナル２２０は、信号伝達ないし電源供給のためのワイヤ１０と連結されるワイヤ連結部２２１と、相手電気コネクタ１００のターミナルないしピン１２０と接続される接続部２２２とを備える。ターミナル２２０には、係止フック２２３が備えられ、ターミナル装着部２１１には、前記係止フック２２３が係止される係止溝（図示せず）が形成され、ターミナル２２０が挿入方向と反対方向に抜けることを制限するように構成されることができる。
【００３６】
参考として、ターミナル２２０とピン１２０との接続構造、ターミナル２２０の形状などは、電気コネクタ２００と相手電気コネクタ１００との電気的連結構造を説明するために一例として図示されたものであり、本考案はこれに限定されるものではない。
【００３７】
場合によっては、図示されたように、リテーナ２３０がさらに備えられることができる。リテーナ２３０は、ターミナル装着部２１１の後方側開口の一部を覆うようにハウジング２１０に結合されて、ターミナル２２０が挿入方向と反対方向に抜けることを防止するように構成される。リテーナ２３０は、挿入部２３１及びフック部２３２を備えることができる。
【００３８】
挿入部２３１は、ターミナル２２０が装着されたターミナル装着部２１１の後方側開口に挿入される。
フック部２３２は、挿入部２３１がターミナル装着部２１１に挿入された状態で、ハウジング２１０に形成された溝２１４に係止されるように構成される。本図面では、挿入部２３１の両側に各々フック部２３２が備えられ、ハウジング２１０の両側面に前記フック部２３２が係止可能な溝２１４が形成されたことを示している。
【００３９】
ハウジング２１０には、ターミナル装着部２１１と連通され、相手電気コネクタ１００のピン１２０ないし端子が挿入され得る挿入ホール２１３が備えられる。例えば、雌コネクタのウエハ１１０から突出されたピン１２０は、挿入ホール２１３を通過してターミナル２２０と接続される。
【００４０】
ハウジング２１０とウエハ１１０との結合の際、正確な結合位置がガイドされ得るように、ウエハ１１０には、前後方向に沿ってガイド溝１１３が延長形成され、ハウジング２１０には、前記ガイド溝１１３に挿入されるガイドリブ２１５が突出形成され得る。
【００４１】
ロッキングレバー２１２は、合成樹脂材質で形成され、合成樹脂材質のハウジング２１０に一体に形成される。例えば、ロッキングレバー２１２は、射出成形によりハウジング２１０に一体に形成されることができる。
【００４２】
ロッキングレバー２１２は、所定の弾性変形が可能なシーソー形態で形成されて、相手電気コネクタ１００のウエハ１１０にロッキング及びロッキング解除可能なように形成される。本図面では、ロッキングレバー２１２がハウジング２１０の一面上に形成され、ウエハ１１０の一面にロッキングレバー２１２がロッキングされる係止部１１２が形成されたことを示している。
【００４３】
以下では、ロッキングレバー２１２がハウジング２１０の上面に形成されたことを例に挙げて説明する。しかし、ロッキングレバー２１２の形成位置がこれに限定されるものではない。ロッキングレバー２１２は、ハウジング２１０の両側面上に各々備えられることもできる。
【００４４】
係止部１１２は、ウエハ１１０の上面に対して段差のあるように突出されたフランジのような形態を有することができ、ウエハ１１０の上面から窪んだ溝のような形態を有することもできる。
【００４５】
ロッキングレバー２１２は、傾斜支持部２１２ａ、ロッキング部２１２ｂ、及び操作部２１２ｃを備える。
傾斜支持部２１２ａは、ハウジング２１０の一面上からハウジング２１０の前方に向けて傾斜した形態で突出される。ここで、前方は、電気コネクタ２００が相手電気コネクタ１００との接続のために一方向に移動する過程で、ハウジング２１０がウエハ１１０に向かう方向を意味する。参考として、ハウジング２１０の前端部には挿入ホール２１３が形成される。
本図面では、傾斜支持部２１２ａがハウジング２１０の上面からハウジング２１０の前方上側に向けて傾斜した形態で突出されたことを示している。
【００４６】
ロッキングレバー２１２は、傾斜支持部２１２ａを中心としてロッキング部２１２ｂと操作部２１２ｃとが両側に配置されたシーソー形態を有する。これにより、傾斜支持部２１２ａを回転中心として所定の弾性変形（回転）が可能なように構成される。
従来のロッキングレバーは、回転中心になる支持部がハウジングの上面から垂直に突出された構造を有していた。合わせて、ロッキング部と操作部も垂直な支持部に対して垂直に配置されていた。
【００４７】
しかしながら、本考案では、回転中心になる傾斜支持部２１２ａがハウジング２１０の上面からハウジング２１０の前方上側に向けて上向き傾斜した形態で突出されたことに特徴がある。すなわち、本考案のロッキングレバー２１２は、従来の垂直支持部ではない傾斜支持部２１２ａを備えたものである。
【００４８】
ロッキング部２１２ｂは、傾斜支持部２１２ａからハウジング２１０の前方に向けて延びる。ロッキング部２１２ｂは、ハウジング２１０の一面に対して平行に配置されることができる。
ロッキング部２１２ｂは、ウエハ１１０に係止可能なように構成されるフック２１２ｂ’を備える。フック２１２ｂ’は、ハウジング２１０の上面に向けて突出される。前記構造により、ハウジング２１０とウエハ１１０の結合の際、ウエハ１１０の一部は、ハウジング２１０の上面とロッキング部２１２ｂとの間に挿入された後、フック２１２ｂ’に係止されて挿入方向と反対方向に抜けることが制限される。
【００４９】
操作部２１２ｃは、傾斜支持部２１２ａからハウジング２１０の後方に向けて延びる。操作部２１２ｃは、ハウジング２１０の上面に対して平行に配置されることができる。
操作部２１２ｃは、ロッキング解除のために押し操作可能なように構成される。操作部２１２ｃの端部には、ユーザの操作感向上のための操作リブが突出され得る。
【００５０】
ロッキングレバー２１２は、ハウジング２１０の上面から突出されるベース部２１２ｄをさらに備えることができ、この場合、傾斜支持部２１２ａは、ベース部２１２ｄからハウジング２１０の前方上側に向けて突出される。
ロッキング部２１２ｂの最大持ち上がり角度は、操作部２１２ｃの押し操作の際、操作部２１２ｃとベース部２１２ｄとの接触により制限されることができる。
【００５１】
ベース部２１２ｄの厚さは、図示されたように一定であることができ、ロッキング部２１２ｂの最大持ち上がり角度を調整するために、操作部２１２ｃと接触される部分で厚さが増加したり、減少したりする形態を有することもできる。
ベース部２１２ｄが形成されることで、ウエハ１１０の一部が挿入される空間（ハウジング２１０の上面とロッキング部２１２ｂとの間の空間）は、同一に維持されながら、ロッキング部２１２ｂの最大持ち上がり角度が減少され得る。
【００５２】
以下では、ロッキングレバー２１２が操作された場合を参照して、本考案の構成と効果についてより具体的に説明する。
【００５３】
図５は、図４に示された状態で、ロッキングレバー２１２が操作された場合を示した断面図である。図５を先の図４とともに参照すれば、傾斜支持部２１２ａの傾斜した方向は、操作部２１２ｃの押し操作の際、ロッキングレバー２１２の変形によりロッキング部２１２ｂが傾斜するように配置される方向に対応する。すなわち、傾斜支持部２１２ａは、ハウジング２１０の前方上側に向けて傾斜するように配置される。
【００５４】
ロッキング部２１２ｂと操作部２１２ｃとは、傾斜支持部２１２ａを中心として両側（本図面では、ハウジング２１０の前方側と後方側）に各々延びる。このとき、ロッキング部２１２ｂは、傾斜支持部２１２ａと鈍角をなし、操作部２１２ｃは、傾斜支持部２１２ａと鋭角をなす。
【００５５】
傾斜支持部２１２ａの両端は、ハウジング２１０の厚さ方向（本図面において上下方向）に互いに傾斜するように位置する。具体的には、ロッキング部２１２ｂ及び操作部２１２ｃと連結される傾斜支持部２１２ａの一端と、ベース部２１２ｄまたはハウジング２１０の上面に連結される傾斜支持部２１２ａの他端とは、ハウジング２１０の厚さ方向を基準として前後に傾斜するように位置する。
【００５６】
上述した構造によれば、傾斜支持部２１２ａがハウジング２１０の前方上側に向けて傾斜した形態で突出されて、ロッキング部２１２ｂの長さが同じ条件下で、垂直支持部を有する従来の構造と比べてロッキングレバー２１２の回転中心が操作部２１２ｃ側にさらに近接して位置するようになる。
【００５７】
これにより、操作部２１２ｃの押し操作の際、傾斜支持部２１２ａに加えられる力が減少される。したがって、ロッキングレバー２１２の塑性変形の可能性が減少され、塑性変形による白化現象を減少することができる。
【００５８】
図６は、本考案の傾斜支持部２１２ａを従来の垂直支持部と比べて説明するための概念図である。
図６に示すように、本考案の傾斜支持部２１２ａは、従来の垂直支持部を基準に、前方側垂直支持部を下方へ行くほど多く除去し、後方側垂直支持部の上端を除去した後、下方で再度補強することによって形成されることができる。
【００５９】
ロッキング部２１２ｂの長さが同じ条件下で、傾斜支持部２１２ａを有する構造は、垂直支持部を有する従来の構造と比べて、ロッキングレバー２１２の回転中心が操作部２１２ｃ側にさらに近接して位置するようになる。
【００６０】
図７は、本考案の他の一実施形態に係るハウジング３１０がウエハ１１０に結合された状態を示す断面図であり、図８は、図７に示された状態で、ロッキングレバー３１２が操作された場合を示した断面図である。
本考案の他の一実施形態に係るハウジング３１０は、先の実施形態と対比したとき、ベース部２１２ｄの削除による設計変更においてのみ相違がある。
【００６１】
具体的に、ロッキングレバー３１２は、ベース部２１２ｄなしに傾斜支持部３１２ａ、ロッキング部３１２ｂ、及び操作部３１２ｃを備える。
傾斜支持部３１２ａは、ハウジング３１０の上面からハウジング３１０の前方上側に向けて傾斜した形態で突出される。
【００６２】
操作部３１２ｃと対向するハウジング３１０の上面には、操作部３１２ｃの押し操作される程度を制限するためのストッパ３１６が突出され得る。この場合、ロッキング部３１２ｂの最大持ち上がり角度は、操作部３１２ｃの押し操作の際、操作部３１２ｃとストッパ３１６との接触により制限される。ストッパ３１６は、ハウジング３１０に一体に形成されることができる。
【００６３】
本実施形態の電気コネクタ３００には、上記設計変更事項を除いては、先の実施形態と同じ設計事項が適用され得る。したがって、これについての説明は、先の実施形態のものに代えることとする。
【図１】
0003226639.tif 000003
【図２】
0003226639.tif 000004
【図３】
0003226639.tif 000005
【図４】
0003226639.tif 000006
【図５】
0003226639.tif 000007
【図６】
0003226639.tif 000008
【図７】
0003226639.tif 000009
【図８】
0003226639.tif 000010